(57)【要約】 【課題】  携帯電話機は精密な半導体電子機器なので、振動や衝撃を与えないように取り扱うことが要求されている。しかし、一般ユーザにはどの程度の振動や衝撃が不具合で、どの程度までなら許されるのかわからない。そのため、乱暴に取り扱う人は故障を何度も繰り返してしまうという課題があった。【解決手段】  携帯電話機１に取り付けた加速度センサ１１により、筐体に加わる加速度を検出し、あらかじめ定めたレベル以上の加速度が検出されたとき、表示器４に警告を表示する。ユーザはこの表示を何度も経験するうちに、どの程度の取り扱いなら許されるのか理解できるようになる。【選択図】  図５
2005347843.tif 000002
【特許請求の範囲】
【請求項１】
アンテナを介して基地局との間で送受信する信号に対し変調および復調処理をする無線部、
この無線部により復調された受信信号に含まれる文字情報および画像情報およびあらかじめ所定の記録手段に登録されたキャラクタの少なくとも一つを随時表示可能な表示部、
少なくとも前記無線部及び前記表示部を設けた筐体、
この筐体に加えられた加速度を検出する加速度センサを備え、
前記無線部および前記表示部の動作を制御するとともに、前記表示部に表示された前記キャラクタを前記加速度センサが検出した加速度に応じて動作させることを特徴とする携帯電話機。
【請求項２】
前記キャラクタの表示は前記加速度があらかじめ定めた所定のレベルを超えたとき表示され、前記加速度が前記所定のレベルを下回った状態が、あらかじめ定めた所定の時間にわたって継続したとき消去されることを特徴とする請求項１に記載の携帯電話機。
【請求項３】
前記キャラクタの表示とともにこの携帯電話機の使用者に対して取り扱いの注意を促す警告文字を表示することを特徴とする請求項２に記載の携帯電話機。
【請求項４】
前記キャラクタの動作は、前記筐体に加わった加速度の方向にもとづいて前記画面上でその表示位置を変化するものであることを特徴とする請求項１に記載の携帯電話装置。
【請求項５】
互いに回転可能にヒンジ部で接続され、互いの角度をほぼ０度からほぼ１８０度まで開閉することが可能な上筐体と下筐体、
前記上筐体に配置された第１の加速度センサ、
前記下筐体に配置された第２の加速度センサ、
前記第１の加速度センサの検出信号と前記第２の加速度センサの検出信号とにもとづき前記上筐体と前記下筐体の開閉状態を検出する開閉判定手段を備えたことを特徴とする携帯電話機。
【請求項６】
前記第１の加速度センサと前記第２の加速度センサは、前記筐体が閉じられたとき互いに近接する位置に取り付けられていることを特徴とする請求項５に記載の携帯電話機。
【請求項７】
前記第１の加速度センサの検出信号と前記第２の加速度センサの検出信号とを記憶し、その時間経過があらかじめ定めた所定のパターンに相当している場合に、所定の音響警報を発するセキュリティ装置を備えたことを特徴とする請求項５に記載の携帯電話機。
【請求項８】
表示装置を有する筐体、前記筐体に装着されこの筐体に加わった加速度を検出する加速度センサ、
前記加速度センサの検出信号にもとづいて、あらかじめ定めた表示を前記表示装置に表示する制御装置を備えたことを特徴とする携帯電話機。
【発明の詳細な説明】
【技術分野】
【０００１】
この発明は携帯電話機の信頼性の向上とエンタテインメント性の向上に関する。
【背景技術】
【０００２】
携帯電話機は、服のポケットや鞄に入れて持ち運ばれるものなので、一般の電子機器に比して乱暴に取り扱われる機会が多い。無論、それなりに耐振動／衝撃を考慮して製造されてはいるが、堅い床に落としたりすれば、故障して異常な電波を発射することも有り得る。そこで、例えば特許文献１には、外部から加えられた規定値以上の加速度および重力を検出する加速度センサを備え、この加速度センサが規定値以上の加速度および重力を検出すると、メモリに検出日時を登録するとともに、無線部への電力供給を遮断するものが開示されている。この携帯電話機は、加速度センサが検出した規定値以上の外力が加えられた日時を記憶することにより、携帯電話機が故障したときに故障原因をより容易につきとめることができる。また、規定値以上の外力が加えられると、無線部への電力供給を遮断することにより、故障による異常電波が放射されるという問題を防止することができる
というものである。
【０００３】
しかし、特許文献１の発明では、異常電波の発射を未然に防止して電話網の混乱の防止に役立ち、また、携帯電話機を修理するメーカ側は衝撃などの情報が得られるとは言え、携帯電話機のユーザは衝撃などがどの程度に電話機に加わったのか知ることができない。従って例えば机の上に携帯電話機を放り投げる癖のある人の場合、同じ故障を繰り返すことになってしまい、この種の故障の防止には役立たないという課題があった。
【０００４】
また、従来の２つ折れ筐体を持つ携帯電話機は、２つ折れ部分の開閉を検出する手段として、古くはリミットスイッチが用いられていたが、ゴミが接点に付着して接触の信頼性が低下するという問題があり、最近では磁石とホールＩＣまたは磁石とリードスイッチを用いているものがある。例えば特許文献２には、上筐体のスピーカ部に設けられた磁石と、下筐体のマイク側に設けたリードスイッチとを備え、上筐体と下筐体が閉じられると、リードスイッチが磁石の磁力を検出して、筐体閉を検出する。一方、リードスイッチが磁石の磁力を検出できなくなると、筐体開を検出する。このような携帯電話機は、磁石とＩＣ又はリードスイッチで筐体の開閉状態を判定しているため、端末利用者が磁気を帯びたアクセサリを身に付けている場合、リードスイッチがそのアクセサリの磁力を検出して、筐体の開閉状態の判定が誤って行われる場合がある、即ち、信頼性が十分高い開閉検出装置とは言えないという課題があった。
【０００５】
【特許文献１】特開平９―１０７３２７号公報
【特許文献２】特開２００１−２５７７５４公報
【発明の開示】
【発明が解決しようとする課題】
【０００６】
従来の携帯電話機では、ユーザは衝撃などがどの程度に電話機に加わったのか知ることができない。従って取り扱いの乱暴なユーザの場合、同じトラブルを繰り返してしまうという課題があった。
また、従来の２つ折れ構造を持つ携帯電話機では、２つ折れ部分の開閉の検出手段の信頼性が十分には高くないという課題があった。
【課題を解決するための手段】
【０００７】
この発明の携帯電話機は、アンテナを介して基地局との間で送受信する信号に対し変調および復調処理をする無線部、この無線部により復調された受信信号に含まれる文字情報および画像情報およびあらかじめ所定の記録手段に登録されたキャラクタの少なくとも一つを随時表示可能な表示部、少なくとも前記無線部及び前記表示部を設けた筐体、この筐体に加えられた加速度を検出する加速度センサを備え、
前記無線部および前記表示部の動作を制御するとともに、前記表示部に表示された前記キャラクタを前記加速度センサが検出した加速度に応じて動作させるものである。
【０００８】
また、表示装置を有する筐体、この筐体に装着されこの筐体に加わった加速度を検出する加速度センサ、この加速度センサの検出信号にもとづいて、あらかじめ定めた表示を前記表示装置に表示する制御装置を備えたものである。
【０００９】
また、互いに回転可能にヒンジ部で接続され、互いの角度をほぼ０度からほぼ１８０度まで開閉することが可能な上筐体と下筐体、この上筐体に配置された第１の加速度センサ、前記下筐体に配置された第２の加速度センサ、
前記第１の加速度センサの検出信号と前記第２の加速度センサの検出信号とにもとづき前記上筐体と前記下筐体の開閉状態を検出する開閉判定手段を備えたものである。
【発明の効果】
【００１０】
この発明の携帯電話機は、検出した加速度に応じて、携帯電話機の使用者に対する取り扱い上の注意を警告（音又は表示）することができるので、携帯電話使用の際に加わる加速度を軽減することができ、故障などの不具合を減らすことができる。通常の加速度の範囲ではキャラクターの動作を加えることで携帯電話使用者を楽しませることができ、エンターティンメント性が向上する。
加速度センサにより携帯電話表示部、操作部それぞれの重力加速度ベクトル方向を検出しその差を演算することで、携帯電話の開閉状態を検出できるので、強い磁場中においても開閉検出が正常に行える携帯電話を提供することができ、使用者が体に磁気を帯びた健康器具、アクセサリなどを付けていても動作の信頼性が確保できる。
【発明を実施するための最良の形態】
【００１１】
実施の形態１.
図１は、本発明に係る携帯電話機の構成を示すブロック図である。図２は図１の携帯電話機の外観図である。なお、以下の各図において同一または相当部分には同一の符号を付してその詳細な説明は繰り返さない。図１、図２において、携帯電話機１は、互いに蝶番１００で開閉可能に接続され、いわゆる２つ折れ構造を構成した上筐体２０と下筐体３０とを有する。上筐体２０は表示側加速度センサ２、スピーカ１０、表示装置４を有し、下筐体３０は操作側加速度センサ１１、制御装置３、アンテナ５、無線回路６、操作装置７、音声回路８、マイク９、操作側加速度センサ１１を有する。表示装置４は、無線回路６により復調された受信信号に含まれる文字情報および画像情報を表示できるとともに、あらかじめメモリ（図示されない内蔵メモリのみならず、メモリカードなどの外部記憶媒体も含む）に登録された、あるいはインターネットを経由してダウンロードされたキャラクタを表示することができる。
アンテナ５は無線回路６と接続されて、基地局との間で無線による通話を行うための無線電波の送受信を行う。無線回路６はアンテナ５を介して入力された受信信号の復調を行うとともに、復調信号の音声符号化を行い、スピーカ１０から出力する音声信号に変換する音声回路８と接続されている。また、無線回路６は、マイク９から入力されて、音声回路８にて音声符号化された音声信号を変調して、アンテナ５を介して外部に送出する。
表示側加速度センサ２は、表示装置４を有する上筐体２０に設けられて、上筐体２０に加えられた外力の検出や上筐体２０の動きの検出を行うものである。そして、操作側加速度センサ１１は、操作装置７を有する下筐体３０に設けられて、下筐体３０に加えられた外力の検出や下筐体３０の動きの検出を行うものである。両加速度センサはいずれも３次元方向（Ｘ軸、Ｙ軸、Ｚ軸）の加速度を別々に検出することができるものを用いている。
【００１２】
制御装置３は、表示側加速度センサ２と操作側加速度センサ１１がそれぞれ検出した加速度に基づいて、携帯電話機１に加えられた外力による加速度や、上筐体と下筐体の相対的な動作、即ち互いの開閉状態を検出する。そして、検出した加速度に応じて、表示装置４に表示されたキャラクタを動作させる。なお、この制御部３は、加速度や外力の演算を行うほか、携帯電話機全体の制御を行っている。なお、表示装置４上のキャラクタは、検出した加速度に応じて表示装置４内で移動や所定の動作をするほか、着信や発信など携帯電話機本来の動作を行う際に、選択された動作を行うものである。
なお、図１で説明した各部の配置、即ち、どのブロックを上下筐体のどちらの側に収納するかは、両加速度センサ以外については任意に決定してよい。また、電源部など、当然備えているべき部分については説明を省略している。
【００１３】
図３は、図１の携帯電話機１の動作のうち、この発明に関する特有の部分の動作を説明するためのフローチャートである。図３の動作は携帯電話機１の電源が投入されているとき常時繰り返し行われている。発明の理解を助けるため、この動作の詳細な説明の前に、その概要についてまず説明する。携帯電話機１の外部から加わった加速度や衝撃などの外力が無視しうる範囲（Ａとする）内か、無視できないが許容範囲内（Ａ以上Ｂ以下とする）のものか、また許容範囲を超える（Ｂを越える）ものかを判定する。そして、無視しうる範囲内であればとくになにもせず、無視できないが許容範囲内である場合には検出した加速度の大きさや方向に応じて、表示装置４上にあらかじめ定めた所定のキャラクタを表示させるものである。検出した加速度が許容範囲の上限を超える場合には、端末の正常な動作に影響を及ぼしうる外力を検出したと判定して警告メッセージを表示、または音声で警告する。
【００１４】
説明の都合上、各加速度センサの検出する方向（Ｘ軸、Ｙ軸、Ｚ軸）を定義する必要があるので、図４に携帯電話機１に対するＸ軸、Ｙ軸、Ｚ軸の方向を示す。即ち下筐体３０の操作面に直交する方向がＺ軸、操作面に平行で向かって上向きがＹ軸、操作面に平行で向かって右向きがＸ軸である。
以下、図３を用いて本発明にかかる携帯電話機１の動作を説明する。なお、本実施の形態の場合、図３のステップＳ１〜ステップＳ３における加速度変化量の検出は、図１に示す表示側加速度センサ２、操作側加速度センサ１１のいずれか一方を用いて行ってもよいし、両方を用いて行ってもよい、またフローの一巡ごとにセンサーを切り替えてもよい。
制御装置３は、表示側加速度センサ２、操作側加速度センサ１１のいずれかあるいは両方から、検出された加速度信号を取りこむとともに、取りこんだ加速度信号に基づいて、ステップＳ１においてＸ軸方向の加速度の変化量を、ステップ２においてＹ軸方向の加速度の変化量を、ステップ３においてＺ軸方向の加速度の変化量をそれぞれ検出する。
【００１５】
制御装置３は、上記ステップＳ１〜ステップＳ３において検出したＸ軸、Ｙ軸、Ｚ軸方向の加速度の変化量より、Ｘ軸、Ｙ軸、Ｚ軸方向の加速度のベクトル和を算出して、このベクトル和があらかじめ定めたレベルＡを超えているか判定する。なお、レベルＡとは前述の通り、検出加速度の許容範囲内の下限値（無視しうるレベルの上限値）を意味するものであり、以下、下限値Ａと称する。検出した加速度の変化量が下限値Ａ以下である場合には（ステップＳ４でＮｏ）、携帯電話機本体には問題視するほどの加速度は加わっていないと考えられるので何もせずにステップＳ１に戻る。
【００１６】
一方、検出した加速度の変化量が下限値Ａ以上である場合には（ステップＳ４でＹｅｓ）、検出した加速度の変化量がレベルＢ以下か確認する処理を行う。なお、レベルＢとは前述したとおり検出加速度の許容範囲内の上限値を意味するものであり、以下、上限値Ｂと称する。
検出した加速度の変化量が上限値Ｂ以下であれば（ステップＳ５でＮｏ）、検出した加速度の変化量は上限値Ｂ以下で、かつ、下限値Ａ以上であるので、表示装置４上に特定のキャラクタ９９表示させ、これを検出した加速度に応じて後述するように動作させる。
【００１７】
図５は、このキャラクタ表示の一例を示す説明図である。
図５は、加速度の変化量が少ない場合に表示装置４の中央部分にキャラクタ９９が表示されていることを示している。図５のキャラクタ９９は次のようなルールにもとづいて動作するように設定する。
Ｘ軸方向の加速度が増加するとき横方向に右側へ移動、減少するとき左へ移動。
Ｙ軸方向の加速度が増加するとき上方向に移動、減少するとき下へ移動。
Ｚ軸方向の加速度が増加するとき手前へ移動（即ちキャラクタ９９が大きくなる）、減少するとき奥方向へ移動（即ちキャラクタ９９が小さくなる）。
【００１８】
このようなルールに基づいて、表示されると例えば図６に示すようになる。
図６の（１）から（４）はＺ軸方向の加速度は変化しない例、図６の（５）から（６）はＺ軸方向の加速度のみが変化する例である。
図６の（１）はＸ軸、Ｙ軸とも加速度の減少を検出した場合の表示例であって、表示装置４の左下方向へキャラクタが移動していることを示している。（２）はＸ軸方向の加速度が増加傾向にあり、Ｙ軸方向の加速度が減少傾向にある場合の表示例であって、表示装置４の右下方向へキャラクタが移動していることを示している。（３）はＸ軸方向の加速度が減少傾向にあり、Ｙ軸方向の加速度が増加傾向にある場合の表示例であって、表示装置４の左上方向へキャラクタが移動していることを示している。（４）はＸ軸方向の加速度が増加傾向にあり、Ｙ軸方向の加速度も増加傾向にある場合の表示例であって、表示装置４の右上方向へキャラクタが移動していることを示している。
（５）はＺ軸方向の加速度が増加傾向にある場合で、表示装置４の前面方向へキャラクタが移動して（キャラクタが大きくなる）いることを示している。（６）はＺ軸方向の加速度が減少傾向にある場合、表示装置４の奥方向にキャラクタが移動して（キャラクタが小さくなる）いることを示している。
【００１９】
検出した加速度の変化量が上限値Ｂ以上である場合（ステップＳ５でＹｅｓ）、携帯電話機本体には、故障を引き起こしかねないほどの強い外力が加わったものと判定できるので、ステップＳ８に進み、表示装置４上に「取扱い注意メッセージ」を表示させたり、図示しない音声による警告を行ったりする。取り扱い注意メッセージはこの携帯電話機の使用者に対して取り扱いの注意を促す警告文字を含むものである。また、加速度が大きいほどキャラクタ９９の色を赤色に近い色に変色させて、色の変化で警告するという方法もある。
なお、図３には示さないがいったん表示された取り扱い表示（Ｓ８）やキャラクタ表示（Ｓ７）は、加速度がその後、低下したことを検出した場合、直ちに消去してもよいが、ユーザに確実に視認させるため一定時間（例えば１０秒間）は継続して表示されるものとしてもよい。
以上に説明のとおり、本発明にかかる携帯電話機は、表示装置４上に、検出した加速度に応じて表示装置４内を移動し、あるいは加速度に応じた動作又は変色をするキャラクタ９９を表示しているので、強い外力が加わったときに、使用者に取扱い注意を喚起できるほか、エンターテインメント性に優れた携帯電話機を提供することができる。また、使用者は乱暴な取り扱いに際してキャラクタ９９が行う所定の動作により、自分の取り扱いが一般的な取り扱いの範囲を超えたものかどうかを理解し、学習することができるので、やがて正常な取り扱いができるようになる。
【００２０】
以上の説明においては、携帯電話機１は上筐体２０と下筐体３０とを持つ２つ折れ構造として説明したが、そのような構造でなければならないということではなく、1筐体のものでもよい。加速度センサは表示側加速度センサ２と操作側加速度センサ１１の２個を用いるとして説明したが、携帯電話機の取り扱いに於いて上筐体２０の加速度の絶対値と下筐体３０の加速度の絶対値とは、ほぼ近似した値を示すことが多いのでいずれか一方のみの加速度センサを用いることでも、同じ効果を得ることができる。
【００２１】
実施の形態２.
図７は、本発明の実施の形態２にかかる携帯電話機の外観を示す外観斜視図である。図７の携帯電話機のブロック図は図１と同じものである。図７（ａ）から明らかなように、表示側加速度センサ２と操作側加速度センサ１１とは、２つ折れ部分の開閉によって上筐体２０と下筐体３０は互いに１８０度開き、相互の相対的姿勢が反転するので、以下の説明の前に、その検出する加速度の方向について定義しておく。図８、図９は、表示側加速度センサ２と操作側加速度センサ１１がそれぞれ検出した重力加速度の向きの比較説明図である。なお、比較する場合には操作側加速度センサ１１の検出信号を基準に検討することとする。
図７に示す携帯電話機１は、図７(ａ)が携帯電話機が開かれた状態、図７(ｂ)が携帯電話機が中程度開かれた状態、図７(ｃ)が携帯電話機が閉じられた状態を示している。表示装置４を有する上筐体２０に表示側加速センサ２が設けられている。そして、操作装置７を有する下筐体３０に操作側加速度センサ１１が設けられている。本実施の形態の携帯電話機はこれら２つの加速度センサを使って、筐体の開閉状態の検出を行うものである。
【００２２】
各加速度センサの方向の定義の基本は、２つ折れ部が開かれて図７（ａ）の様になっているときに定義するものとしておく。そして操作側加速度センサ１１の検出する加速度が今、丁度図８に示すような状態にあると仮定し、図７（ａ），（ｂ），（ｃ）の各状態において図８の加速度がどのように検出されるかを図９（ａ），（ｂ），（ｃ）を用いて説明する。なお、２つ折れ部のヒンジの軸はＸ軸に平行である。即ち、Ｘ軸方向の加速度は筐体の開閉の影響を受けない。そして全開と全閉とでは、Ｙ軸方向の加速度とＺ軸方向の加速度とはそれぞれ方向が反転する。
【００２３】
まず、図７(ａ)のように、携帯電話機が完全に開かれた全開状態で加速度が加わった場合、操作側加速度センサ１１が検出する加速度αの検出ベクトルは図８のようになる。加速度１００のＸ，Ｙ，Ｚ成分をそれぞれＸα、Ｙα、Ｚαとする。そして、表示側加速度センサ２が検出する加速度の検出ベクトルは図９（ａ）に示すようになり、これは図８と一致する。したがって、表示側加速度センサ２と操作側加速度センサ１１が検出する加速度の検出ベクトルの方向と大きさが一致している。
即ち、Ｘα＝Ｘα、    Ｙα＝Ｙα、    Ｚα＝Ｚα
この場合には、携帯電話機は開状態であると判定できる。
【００２４】
また、図７(ｂ)のように、携帯電話機が半分程度（ここでは９０度の場合で説明）開かれた状態で加速度が加わった場合、表示部側加速度センサ２と操作部側加速度センサ１１が検出する加速度の検出ベクトルは、図９（ｂ）と図８に示すように、その検出方向が異なる。
即ち、Ｘα＝Ｘα、    Ｙα＝Ｚα、    Ｚα＝−Ｙα
したがって、表示部側加速度センサ２と操作部側加速度センサ１１が検出する加速度の検出ベクトルの検出方向がこのように異なる場合には、携帯電話機は半開状態であると判定できる。
【００２５】
また、両加速度センサは携帯電話機が閉じられたとき、互いに近接した位置になるように取り付けられている。そして図７(ｃ)のように、携帯電話機が閉じられた状態で加速度が加わった場合、表示側加速度センサ２と操作側加速度センサ１１が検出する加速度の検出ベクトルは、図９（ｃ）と図８に示すように、その検出方向が（Ｘ軸以外は）逆方向で同じ大きさになる。
即ち、Ｘα＝Ｘα、    Ｙα＝−Ｙα、    Ｚα＝−Ｚα
したがって、表示部側加速度センサ２と操作部側加速度センサ１１が検出する加速度のＹ軸とＺ軸の検出ベクトルの検出方向が同大、逆方向になる場合には、携帯電話機は閉状態であると判定できる。
【００２６】
上記説明のとおり、表示側加速度センサ２と、操作側加速度センサ１１の２つの加速度センサをそれぞれ上筐体と下筐体に（開いたとき同方向となるように）配設し、各センサが検出した加速度のベクトル方向が一致しなければ、端末は全開状態ではないと判定できる。そしてその違い方によって半開／全閉／全開の判断が可能となる。以上の判断は制御装置３内に収納された図示しない開閉判定手段によって行う。
本実施の形態の携帯電話機によれば、開閉状態を検出するのに磁石とホールＩＣ、あるいはリードスイッチを用いていた従来の携帯電話機のように、端末利用者が身に付けている磁気を帯びたアクセサリなどにより誤動作するという問題を解消することができるという効果を奏する。
【００２７】
実施の形態３．
実施の形態２のように、上筐体２０と下筐体３０それぞれに加速度センサ２、１１を配設して、それぞれの加速度センサを用いて相対的な加速度の変化を検出することにより、下記のような効果を得ることもできる。例えば、上筐体２０および下筐体３０のいずれか一方の加速度センサが、Ｚ軸方向とＹ軸方向を合成したベクトルを検出し、他方がほとんど加速度を検出していない場合、あるいはそれぞれの加速度センサの検出加速度の差がＸ軸周りの回転加速度を示している場合には、筐体が開操作又は閉操作されたことを判定でき、最初の状態が閉状態であったなら、当然、開操作されたものと判定される。
また、上筐体２０と下筐体３０の両方の加速度センサがＺ軸方向の加速度を検出した後、Ｚ軸方向とＹ軸方向を合成したベクトル（Ｘ軸周りの回転ベクトル）を検出し、他方がほとんど加速度を検出していない場合、携帯電話機本体が、誰かの手に取られて持ち上げられた後、筐体が開かれたことを判定できる。このように少なくとも携帯電話機が取り扱われていることを検出できる。
【００２８】
したがって、あらかじめ正規のユーザが設定して、このような取り扱いがなされた場合に警告、例えば大きいアラーム音を発生するようにしておけば、セキュリティ機能として用いることができる。即ち、このような加速度の時間変化をパターンとして記憶させておき、ユーザが「自動監視」を設定した後に、このパターンに近い加速度変化を検出したら音響警報を発するセキュリティ装置を備えるようにしてもよい。またこのような状態を検出した時刻を記憶するようにしておけば、第３者が正規ユーザに断りなく携帯電話機を手にとって、筐体を開く操作をしたことを、その時刻と共に後になって確認することができる。
【産業上の利用可能性】
【００２９】
この発明の携帯電話機に用いた、加速度センサによる機器の衝撃の検出技術は携帯電話機に限らず携帯式の電子機器、例えばハンディトランシーバ、ハンディデータ入力装置などに利用することができる。
【図面の簡単な説明】
【００３０】
【図１】本発明に係る携帯電話機の構成を示すブロック図である。
【図２】図１の携帯電話機の外観図である。
【図３】図１の携帯電話機の動作を説明するフローチャートである。
【図４】加速度センサの方向の定義説明図である。
【図５】携帯電話機のキャラクタ表示例を示す説明図である。
【図６】図５のキャラクタ表示の加速度による変化を説明する図である。
【図７】本発明の実施の形態２に係る携帯電話機の加速度センサの取り付けについて説明する図である。
【図８】操作側加速度センサ１１の検出加速度を説明する図である。
【図９】表示側加速度センサ２が検出した加速度の向きを説明する説明図である。
【符号の説明】
【００３１】
１  携帯電話機、  ２  表示側加速度センサ、  ３  制御装置、  ４  表示装置、
５  アンテナ、    ６  無線回路、    ７  操作装置、  ８  音声回路、  ９  マイク、  １０  スピーカ、    操作側加速度センサ、    ２０  上筐体、  ３０  下筐体、
１００  蝶番。
【図１】
2005347843.tif 000003
【図２】
2005347843.tif 000004
【図３】
2005347843.tif 000005
【図４】
2005347843.tif 000006
【図５】
2005347843.tif 000007
【図６】
2005347843.tif 000008
【図７】
2005347843.tif 000009
【図８】
2005347843.tif 000010
【図９】
2005347843.tif 000011